【手続補正書】
【提出日】平成20年8月26日(2008.8.26)
【手続補正１】
【補正対象書類名】明細書
【補正対象項目名】特許請求の範囲
【補正方法】変更
【補正の内容】
【特許請求の範囲】
【請求項１】  監視データを出力する出力装置と、前記監視データを収集するデータ収集部を有し、前記データ収集部で収集されたデータを処理し、前記データを処理した結果を前記出力装置に出力内容として渡すデータ処理装置とを備えた監視システムにおいて、
前記データ処理装置が、
複数の設備の設備情報と該設備間の関係を記述する関係付け情報とを有する構造化設備情報を記憶する構造化設備情報記憶部と、
前記構造化設備情報記憶部に記憶された構造化設備情報に基づき、入力された注目設備を抽出の基点として、前記注目設備に対して所定の関係を有する設備の設備情報および関係付け情報を概略抽出し、前記概略抽出された設備毎に前記設備情報をノードとして前記設備間の関係付け情報をアークとするグラフ構造上で前記注目設備と当該設備との間に介在する関係付け情報を用いて重み値を算出し、この重み値に基づいて設備情報を関連設備情報集合として最終抽出する監視設備抽出部と、
前記関連設備情報集合中の前記設備情報の設備についての前記監視データを前記データ収集部から受け取り、当該設備情報および当該監視データを表示形式に変換して前記出力装置に渡す表示管理部とを備えたことを特徴とする監視システム。
【請求項２】  データ処理装置が、設備間の関係の種類により定義された重み係数からなる重み係数情報を記憶する重み係数情報記憶部を備え、
概略抽出された設備に対して、注目設備と前記概略抽出された設備との間に介在する各関係付け情報に対し、当該関係付け情報の関係の種類およびこの関係の種類について定義された重み係数情報記憶部に記憶されている前記重み係数情報から求めた重み係数を重み値に加えてえられる値を重み値とみなすことを特徴とする請求項１に記載の監視システム。
【請求項３】  重み係数情報記憶部に記憶された重み係数情報を、設備間の関係の種類と抽出時の観点とにより定義された観点別重み係数情報とし、抽出時の観点指定を含む注目設備を抽出の基点として、この注目設備の観点を指定することにより、前記観点別重み係数情報から求めた重み係数を重み係数情報から求めた重み係数とみなすことを特徴とする請求項２に記載の監視システム。
【請求項４】  構造化設備情報記憶部に記憶された構造化設備情報の中の設備情報が、重要設備の当否を示す重要設備情報を有し、概略抽出された設備に対して重要設備情報に対応して設定された重み係数を当該設備に対して設備情報をノードとし設備間の関係付け情報をアークとするグラフ構造上で注目設備と当該設備との間に介在する関係付け情報とを用いて算出した重み値に加えて得られる値を重み値と見なすことを特徴とする請求項１から３のいずれかに記載の監視システム。
【請求項５】  データ処理装置が、警報情報とその対応設備およびその属性との関係を定義した警報設備変換情報を記憶する警報設備変換情報記憶部と、監視データ収集部を介して設備からの警報情報を入力し、この入力した警報情報と前記警報設備変換情報記憶部に記憶された警報設備変換情報とに基づき警報に係る設備と属性とを抽出する警報入力部とを備え、この警報入力部により抽出された警報に係る設備と属性とを抽出の基点とすることを特徴とする請求項１、２、４のいずれかに記載の監視システム。
【請求項６】  データ処理装置が、警報名とその対応設備およびその属性と観点とを定義した警報設備変換情報を記憶する警報設備変換情報記憶部と、監視データ収集部を介して設備からの警報情報を入力し、この入力した警報情報と前記警報設備変換情報記憶部に記憶された警報設備変換情報とに基づき警報に係る設備と属性と観点とを抽出する警報入力部とを備え、この警報入力部により抽出された警報に係る設備と属性と観点とを抽出の基点とすることを特徴とする請求項３に記載の監視システム。
【請求項７】  データ処理装置が、出力様式を定義した出力様式情報を記憶する出力様式情報記憶部と、監視設備抽出部で最終抽出された関連設備情報集合と前記出力様式情報記憶部に記憶された出力様式情報とデータ収集部から得られた監視データとに基づき出力内容を作成する出力内容合成部とを備えたことを特徴とする請求項１から６のいずれかに記載の監視システム。
【請求項８】  データ処理装置が、出力様式を定義した出力様式情報を記憶する出力様式情報記憶部、監視設備抽出部で複数の注目設備を個々に抽出基点として最終抽出された各関連設備情報集合と、前記出力様式情報記憶部に記憶された出力様式情報と、データ収集部から得られた監視データとに基づき前記複数の注目設備毎に出力内容を作成する出力内容合成部、およびこの出力内容合成部で前記複数の注目設備毎に作成した出力内容を出力情報として記憶する出力情報記憶部とを備えたことを特徴とする請求項１から４のいずれかに記載の監視システム。
【請求項９】  出力装置は、音声信号を再生して監視データを出力し、
データ処理装置が、監視設備抽出部で最終抽出された関連設備情報集合と監視データ収集部で得られた監視データとに基づき文字列のみの出力内容を作成する出力内容合成部、およびこの出力内容合成部で作成された文字列のみの出力内容を入力とし、これを音声出力信号に変換する音声合成部とを備えたことを特徴とする請求項７又は８に記載の監視システム。
【手続補正２】
【補正対象書類名】明細書
【補正対象項目名】０００８
【補正方法】変更
【補正の内容】
【０００８】
【課題を解決するための手段】
この発明は、監視データを出力する出力装置と、前記監視データを収集するデータ収集部を有し、前記データ収集部で収集されたデータを処理し、前記データを処理した結果を前記出力装置に出力内容として渡すデータ処理装置とを備えた監視システムにおいて、前記データ処理装置が、複数の設備の設備情報と該設備間の関係を記述する関係付け情報とを有する構造化設備情報を記憶する構造化設備情報記憶部と、前記構造化設備情報記憶部に記憶された構造化設備情報に基づき、入力された注目設備を抽出の基点として、前記注目設備に対して所定の関係を有する設備の設備情報および関係付け情報を概略抽出し、前記概略抽出された設備毎に前記設備情報をノードとして前記設備間の関係付け情報をアークとするグラフ構造上で前記注目設備と当該設備との間に介在する関係付け情報を用いて重み値を算出し、この重み値に基づいて設備情報を関連設備情報集合として最終抽出する監視設備抽出部と、前記関連設備情報集合中の前記設備情報の設備についての前記監視データを前記データ収集部から受け取り、当該設備情報および当該監視データを表示形式に変換して前記出力装置に渡す表示管理部とを備えたことを特徴とする監視システムである。
【手続補正３】
【補正対象書類名】明細書
【補正対象項目名】０００９
【補正方法】変更
【補正の内容】
【０００９】
この発明は、データ処理装置が、設備間の関係の種類により定義された重み係数からなる重み係数情報を記憶する重み係数情報記憶部を備え、概略抽出された設備に対して、注目設備と前記概略抽出された設備との間に介在する各関係付け情報に対し、当該関係付け情報の関係の種類およびこの関係の種類について定義された重み係数情報記憶部に記憶されている前記重み係数情報から求めた重み係数を重み値に加えてえられる値を重み値とみなすことを特徴とする監視システムである。
【手続補正４】
【補正対象書類名】明細書
【補正対象項目名】００１０
【補正方法】変更
【補正の内容】
【００１０】
この発明は、重み係数情報記憶部に記憶された重み係数情報を、設備間の関係の種類と抽出時の観点とにより定義された観点別重み係数情報とし、抽出時の観点指定を含む注目設備を抽出の基点として、この注目設備の観点を指定することにより、前記観点別重み係数情報から求めた重み係数を重み係数情報から求めた重み係数とみなすことを特徴とする監視システムである。
【手続補正５】
【補正対象書類名】明細書
【補正対象項目名】００１１
【補正方法】変更
【補正の内容】
【００１１】
この発明は、構造化設備情報記憶部に記憶された構造化設備情報の中の設備情報を、重要設備の当否を示す重要設備情報を加えたものとし、概略抽出された設備に対して重要設備情報に対応して設定された重み係数を当該設備に対して設備情報をノードとし設備間の関係付け情報をアークとするグラフ構造上で注目設備と当該設備との間に介在する関係付け情報とを用いて算出した重み値に加えて得られる値を重み値と見なすことを特徴とする監視システムである。
【手続補正６】
【補正対象書類名】明細書
【補正対象項目名】００１３
【補正方法】変更
【補正の内容】
【００１３】
この発明は、データ処理装置が、警報名とその対応設備およびその属性と観点とを定義した警報設備変換情報を記憶する警報設備変換情報記憶部と、監視データ収集部を介して設備からの警報情報を入力し、この入力した警報情報と前記警報設備変換情報記憶部に記憶された警報設備変換情報とに基づき警報に係る設備と属性と観点を抽出する警報入力部とを備え、この警報入力部により抽出された警報に係る設備と属性と観点とを抽出の基点とすることを特徴とする監視システムである。
【手続補正７】
【補正対象書類名】明細書
【補正対象項目名】００１６
【補正方法】変更
【補正の内容】
【００１６】
この発明は、出力装置は、音声信号を再生して監視データを出力し、データ処理装置が、監視設備抽出部で最終抽出された監視設備情報と監視データ収集部で得られた監視データとに基づき文字列のみの出力内容を作成する出力内容合成部、およびこの出力内容合成部で作成された文字列のみの出力内容を入力とし、これを音声出力信号に変換する音声合成部とを備えたことを特徴とする監視システムである。
【手続補正８】
【補正対象書類名】明細書
【補正対象項目名】００１７
【補正方法】削除
【補正の内容】
【手続補正９】
【補正対象書類名】明細書
【補正対象項目名】０１１０
【補正方法】変更
【補正の内容】
【０１１０】
【発明の効果】
この発明によれば、監視データを出力する出力装置と、前記監視データを収集するデータ収集部を有し、前記データ収集部で収集されたデータを処理し、前記データを処理した結果を前記出力装置に出力内容として渡すデータ処理装置とを備えた監視システムにおいて、前記データ処理装置が、複数の設備の設備情報と該設備間の関係を記述する関係付け情報とを有する構造化設備情報を記憶する構造化設備情報記憶部と、前記構造化設備情報記憶部に記憶された構造化設備情報に基づき、入力された注目設備を抽出の基点として、前記注目設備に対して所定の関係を有する設備の設備情報および関係付け情報を概略抽出し、前記概略抽出された設備毎に前記設備情報をノードとして前記設備間の関係付け情報をアークとするグラフ構造上で前記注目設備と当該設備との間に介在する関係付け情報を用いて重み値を算出し、この重み値に基づいて設備情報を関連設備情報集合として最終抽出する監視設備抽出部と、前記関連設備情報集合中の前記設備情報の設備についての前記監視データを前記データ収集部から受け取り、当該設備情報および当該監視データを表示形式に変換して前記出力装置に渡す表示管理部とを備えたことを特徴とする監視システムとしたので、注目設備と関係の深い設備群を適切に抽出できるので、関連設備数を絞り込んで出力することが可能となる。また、従来から行われていた、注目設備との関係から想定される多数の表示画面を固定画面としてあらかじめ作成しておく必要がなくなり、状況に応じて指示選択することにより、その設備と指示選択された関係を有する少数の設備だけをその都度抽出して出力できるようになるため表示画面が小さい表示装置での対応が容易になる。
【手続補正１０】
【補正対象書類名】明細書
【補正対象項目名】０１１１
【補正方法】変更
【補正の内容】
【０１１１】
この発明によれば、データ処理装置が、設備間の関係の種類により定義された重み係数からなる重み係数情報を記憶する重み係数情報記憶部を備え、概略抽出された設備に対して、注目設備と前記概略抽出された設備との間に介在する各関係付け情報に対し、当該関係付け情報の関係の種類およびこの関係の種類について定義された重み係数情報記憶部に記憶されている前記重み係数情報から求めた重み係数を重み値に加えてえられる値を重み値とみなすことを特徴とする監視システムとしたので、ある設備と関係の深い設備を、設備間の関係の種類による重要度を考慮して、総合した重要度により抽出することが可能となり、ユーザが知りたい情報をより的確に絞り込んで抽出することが可能となる。したがって、従来から行われていた、注目設備との関係から想定される多数の表示画面を固定画面としてあらかじめ作成しておく必要がなくなり、状況に応じて指示選択することにより、その設備と指示選択された関係を有する少数の設備だけをその都度抽出して出力できるようになるため表示画面が小さい表示装置での対応がより容易になる。
【手続補正１１】
【補正対象書類名】明細書
【補正対象項目名】０１１２
【補正方法】変更
【補正の内容】
【０１１２】
この発明によれば、重み係数情報記憶部に記憶された重み係数情報を、設備間の関係の種類と抽出時の観点とにより定義された観点別重み係数情報とし、抽出時の観点指定を含む注目設備を抽出の基点として、この注目設備の観点を指定することにより、前記観点別重み係数情報から求めた重み係数を重み係数情報から求めた重み係数とみなすことを特徴とする監視システムとしたので、設備間関係の種類ごとの重要性や、そのときに要求される観点ごとの重要性を総合して関連する設備が抽出されるため、ユーザが知りたい情報をより一層的確に抽出することが可能とり、小さい画面での情報の表示もより一層効果的に実行できる。
【手続補正１２】
【補正対象書類名】明細書
【補正対象項目名】０１１３
【補正方法】変更
【補正の内容】
【０１１３】
この発明によれば、構造化設備情報記憶部に記憶された構造化設備情報の中の設備情報を、重要設備の当否を示す重要設備情報を加えたものとし、概略抽出された設備に対して重要設備情報に対応して設定された当該設備に対して設備情報をノードとし設備間の関係付け情報をアークとするグラフ構造上で注目設備と当該設備との間に介在する関係付け情報とを用いて算出した重み係数を重み値に加えて得られる値を重み値と見なすことを特徴とする監視システムとしたので、設備と関係の深い設備を、関係の種類および、そのときの状況で見たい観点を考慮した重み係数と共に、設備の重要性を勘案しつつ、抽出することが可能となる。  従って、ユーザが知りたい情報をより一層的確に抽出することが可能となり、小さい画面での情報の表示もより一層効果的に実行できる。
【手続補正１３】
【補正対象書類名】明細書
【補正対象項目名】０１１５
【補正方法】変更
【補正の内容】
【０１１５】
この発明によれば、データ処理装置が、警報名とその対応設備およびその属性と観点とを定義した警報設備変換情報を記憶する警報設備変換情報記憶部と、監視データ収集部を介して設備からの警報情報を入力し、この入力した警報情報と前記警報設備変換情報記憶部に記憶された警報設備変換情報とに基づき警報に係る設備と属性と観点を抽出する警報入力部とを備え、この警報入力部により抽出された警報に係る設備と属性と観点とを抽出の基点とすることを特徴とする監視システムとしたので、警報に伴い、関連する観点も自動的に抽出設定されるので、警報に関して、いち早く的確に絞り込んだ情報を得ることができ、異常時など緊急を要するときにも、小画面表示装置の適用がより容易になる。
【手続補正１４】
【補正対象書類名】明細書
【補正対象項目名】０１１８
【補正方法】変更
【補正の内容】
【０１１８】
この発明によれば、出力装置は、音声信号を再生して監視データを出力し、データ処理装置が、監視設備抽出部で最終抽出された関連設備情報集合と監視データ収集部で得られた監視データとに基づき文字列のみの出力内容を作成する出力内容合成部、およびこの出力内容合成部で作成された文字列のみの出力内容を入力とし、これを音声出力信号に変換する音声合成部とを備えたことを特徴とする監視システムとしたので、出力に時間がかかる音声出力時に、適切な抽出により必要かつ適切なデータを音声出力することが、本発明により、可能になるという効果がある。
【手続補正１５】
【補正対象書類名】明細書
【補正対象項目名】０１１９
【補正方法】削除
【補正の内容】